(57)【要約】【課題】吸入用ガスを吸入、投与する使用時には、自動的に吸入者の口及び鼻の周囲を覆う形状になるガス吸入用マスクを装着した携帯ガス供給器及び携帯ガス供給器に適した構造を有するガス吸入用マスクを提供する。【解決手段】ガス吸入用マスク１５は、全体が、ガスを透過しない柔軟材料によって形成され、吸入形状部１７の先端部周縁に、吐出ノズル１３から吐出された吸入用ガスが導入されることにより膨張して吸入形状部の形状となり、吸入用ガスが導入されないときには収縮可能な周縁部ガス導入部１９が設けられ、基部側接続部１６には、吐出ノズルから吸入形状部に向かう吸入用ガスの流れに対して抵抗を与える抵抗部材２０が設けられ、基部側接続部における抵抗部材と吐出ノズルとの間から、吐出ノズルから吐出された吸入用ガスを周縁部ガス導入部に導入するガスガイド流路２１を分岐させている。【選択図】図１
2020103334.tif 000002
【特許請求の範囲】
【請求項１】
吸入用ガスを圧縮充填した携帯用のガス容器と、前記ガス容器の開口部に装着され、前記ガス容器内の吸入用ガスを吐出ノズルから吐出するガス取出し部材と、マスク基部側に設けられて前記吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクとを備えた携帯ガス供給器において、前記ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れに対して抵抗を与える抵抗部材が設けられ、前記基部側接続部における前記抵抗部材と前記吐出ノズルとの間から、該吐出ノズルから吐出された吸入用ガスを前記周縁部ガス導入部に導入するガスガイド流路を分岐させたことを特徴とする携帯ガス供給器。
【請求項２】
前記抵抗部材は、焼結フィルタ、オリフィス又はバルブであることを特徴とする請求項１記載の携帯ガス供給器。
【請求項３】
前記ガスガイド流路は、前記拡開部と一体に形成されていることを特徴とする請求項１又は２記載の携帯ガス供給器。
【請求項４】
吸入用ガスを圧縮充填した携帯用のガス容器と、前記ガス容器の開口部に装着され、前記ガス容器内の吸入用ガスを吐出ノズルから吐出するガス取出し部材と、マスク基部側に設けられて前記吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクとを備えた携帯ガス供給器において、前記ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れを遮断する遮蔽部材が設けられ、前記基部側接続部における前記遮蔽部材と前記吐出ノズルとの間から、該吐出ノズルから吐出された吸入用ガスを前記周縁部ガス導入部に導入するガスガイド流路を分岐させるとともに、前記周縁部ガス導入部及び前記ガスガイド流路の少なくともいずれか一方に、拡開部の内部に向かって吸入用ガスを吐出する吸入用ガス吐出部を設けたことを特徴とする携帯ガス供給器。
【請求項５】
前記ガスガイド流路は、前記拡開部と一体に形成されていることを特徴とする請求項４記載の携帯ガス供給器。
【請求項６】
マスク基部側に設けられて吸入用ガス供給源の吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクにおいて、該ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れに対して抵抗を与える抵抗部材が設けられ、前記基部側接続部における前記抵抗部材と前記吐出ノズルとの間から、該吐出ノズルから吐出された吸入用ガスを前記周縁部ガス導入部に導入するガスガイド流路を分岐させたことを特徴とするガス吸入用マスク。
【請求項７】
前記抵抗部材は、焼結フィルタ、オリフィス又はバルブであることを特徴とする請求項６記載のガス吸入用マスク。
【請求項８】
前記ガスガイド流路は、前記拡開部と一体に形成されていることを特徴とする請求項６又は７記載のガス吸入用マスク。
【請求項９】
マスク基部側に設けられて吸入用ガス供給源の吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクにおいて、該ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れを遮断する遮蔽部材が設けられ、前記基部側接続部における前記遮蔽部材と前記吐出ノズルとの間から、該吐出ノズルから吐出された吸入用ガスを前記周縁部ガス導入部に導入するガスガイド流路を分岐させるとともに、前記周縁部ガス導入部及び前記ガスガイド流路の少なくともいずれか一方に、拡開部の内部に向かって吸入用ガスを吐出する吸入用ガス吐出部を設けたことを特徴とするガス吸入用マスク。
【請求項１０】
前記ガスガイド流路は、前記拡開部と一体に形成されていることを特徴とする請求項９記載のガス吸入用マスク。
【発明の詳細な説明】
【技術分野】
【０００１】
本発明は、携帯ガス供給器及びガス吸入用マスクに関し、詳しくは、酸素吸入用の携帯ガスカートリッジにガス吸入用マスクを装着した携帯ガス供給器及び携帯ガス供給器などのガス供給源に装着するガス吸入用マスクに関する。
【背景技術】
【０００２】
従来から、手軽に酸素吸入を行うための機器として、携帯ガス供給器が知られている。この携帯ガス供給器は、小型ガス容器（ガスカートリッジ）内に吸入用ガスとして酸素や酸素富化ガスを圧縮充填したもので、例えば、心臓病やぜんそくの発作、交通事故のような呼吸困難が生じたときの応急処置などの際に酸素を投与するために用いられており、近年では、運動などによる疲労を回復させるためにも広く用いられている。また、酸素の吸入、投与を効果的に行えるようにするため、吸入者の口及び鼻の周囲を覆う形状を有するガス吸入用マスクをガスカートリッジのガス吐出部に接続したり、ホースを介して接続したりすることも行われている（例えば、特許文献１参照。）。さらに、収納性を考慮して、ガス吸入用マスクの形状を、ガスカートリッジのキャップを兼ねる形状としたものもあるが、ガス吸入用マスクの形状としては不適当であり、吸入効率が低くなって吸入用ガスの無駄を生じていた（例えば、特許文献２参照。）。
【先行技術文献】
【特許文献】
【０００３】
【特許文献１】実開昭５８−１７４１３５号公報
【特許文献２】特開２００８−２２９３０８号公報
【発明の概要】
【発明が解決しようとする課題】
【０００４】
しかし、ガス吸入用マスクを用いる場合、発作中の患者がガス吸入用マスクをガスカートリッジに接続することは大変であり、医療従事者ではない一般人がガス吸入用マスクを取り扱う際には、不慣れであることから、ガス吸入用マスクの接続に手間取って酸素の投与に時間がかかり、応急処置が遅れるおそれがある。一方、ガス吸入用マスクをガスカートリッジにあらかじめ接続した状態にすると、ガス吸入用マスクが嵩張るため、バッグなどに収納して携帯することが困難となる。
【０００５】
そこで本発明は、ガスカートリッジにあらかじめ接続した状態で、使用前にはコンパクトになってバッグなどへの収納を容易に行うことができ、吸入用ガスを吸入、投与する使用時には、自動的に吸入者の口及び鼻の周囲を覆う形状になるガス吸入用マスクを装着した携帯ガス供給器及び携帯ガス供給器に適した構造を有するガス吸入用マスクを提供することを目的としている。
【課題を解決するための手段】
【０００６】
上記目的を達成するため、本発明の携帯ガス供給器における第１の構成は、吸入用ガスを圧縮充填した携帯用のガス容器と、前記ガス容器の開口部に装着され、前記ガス容器内の吸入用ガスを吐出ノズルから吐出するガス取出し部材と、マスク基部側に設けられて前記吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクとを備えた携帯ガス供給器において、前記ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れに対して抵抗を与える抵抗部材が設けられ、前記基部側接続部における前記抵抗部材と前記吐出ノズルとの間から、該吐出ノズルから吐出された吸入用ガスを前記周縁部ガス導入部に導入するガスガイド流路を分岐させたことを特徴とし、さらに、前記抵抗部材が、焼結フィルタ、オリフィス又はバルブであること、前記ガスガイド流路が、前記拡開部と一体に形成されていることを特徴としている。
【０００７】
また、本発明の携帯ガス供給器における第２の構成は、吸入用ガスを圧縮充填した携帯用のガス容器と、前記ガス容器の開口部に装着され、前記ガス容器内の吸入用ガスを吐出ノズルから吐出するガス取出し部材と、マスク基部側に設けられて前記吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクとを備えた携帯ガス供給器において、前記ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れを遮断する遮蔽部材が設けられ、前記基部側接続部における前記遮蔽部材と前記吐出ノズルとの間から、該吐出ノズルから吐出された吸入用ガスを前記周縁部ガス導入部に導入するガスガイド流路を分岐させるとともに、前記周縁部ガス導入部及び前記ガスガイド流路の少なくともいずれか一方に、拡開部の内部に向かって吸入用ガスを吐出する吸入用ガス吐出部を設けたことを特徴とし、前記ガスガイド流路が、前記拡開部と一体に形成されていることを特徴としている。
【０００８】
本発明のガス吸入用マスクの第１の構成は、マスク基部側に設けられて吸入用ガス供給源の吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクにおいて、該ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れに対して抵抗を与える抵抗部材が設けられ、前記基部側接続部における前記抵抗部材と前記吐出ノズルとの間から、該吐出ノズルから吐出された吸入用ガスを前記周縁部ガス導入部に導入するガスガイド流路を分岐させたことを特徴とし、さらに、前記抵抗部材が、焼結フィルタ、オリフィス又はバルブであること、前記ガスガイド流路が、前記拡開部と一体に形成されていることを特徴としている。
【０００９】
また、本発明のガス吸入用マスクの第２の構成は、マスク基部側に設けられて吸入用ガス供給源の吐出ノズルに接続される基部側接続部と、マスク先端側に設けられて先端縁が吸入者の口及び鼻の周囲を覆う吸入形状部と、前記基部側接続部と前記吸入形状部との間を連結する拡開部とを有するガス吸入用マスクにおいて、該ガス吸入用マスクは、全体が、ガスを透過しない柔軟材料によって形成され、前記吸入形状部の先端部周縁に、前記吐出ノズルから吐出された吸入用ガスが導入されることにより膨張して前記吸入形状部の形状となり、吸入用ガスが導入されないときには収縮可能な周縁部ガス導入部が設けられ、前記基部側接続部には、前記吐出ノズルから前記吸入形状部に向かう前記吸入用ガスの流れを遮断する遮蔽部材が設けられ、前記基部側接続部における前記遮蔽部材と前記吐出ノズルとの間から、該吐出ノズルから吐出された吸入用ガスを前記周縁部ガス導入部に導入するガスガイド流路を分岐させるとともに、前記周縁部ガス導入部及び前記ガスガイド流路の少なくともいずれか一方に、拡開部の内部に向かって吸入用ガスを吐出する吸入用ガス吐出部を設けたことを特徴とし、前記ガスガイド流路が、前記拡開部と一体に形成されていることを特徴としている。
【発明の効果】
【００１０】
本発明によれば、ガス吸入用マスクを携帯用のガス容器（ガスカートリッジ）にあらかじめ接続した状態となっているので、使用時にガス吸入用マスクをガスカートリッジに接続する必要がなく、吸入用ガスの供給（吐出）と同時にガス吸入用マスクが吸入者の口及び鼻の周囲を覆う吸入形状部になるので、吸入用ガスの吸入、投与を迅速かつ確実に行うことができる。また、ガス吸入用マスクが柔軟材料によって形成されているので、使用前や使用後には、収縮させて折り畳むことによって小さくなることから、ガス吸入用マスクをガスカートリッジに接続した状態でも、ガス吸入用マスクが邪魔になることがなくなり、ポーチやバッグなどの中にコンパクトに収納することができる。
【図面の簡単な説明】
【００１１】
【図１】本発明の携帯ガス供給器及びガス吸入用マスクの第１形態例を示す断面図である。
【図２】本発明の携帯ガス供給器及びガス吸入用マスクの第２形態例を示す断面図である。
【発明を実施するための形態】
【００１２】
図１は、本発明の携帯ガス供給器の第１形態例を示している。本形態例に示す携帯ガス供給器１１は、吸入用ガスを圧縮充填した携帯用のガス容器（ガスカートリッジ）１２と、前記ガスカートリッジ１２の開口部に装着され、前記ガスカートリッジ１２内の吸入用ガスを吐出ノズル１３から吐出するガス取出し部材１４と、該ガス取出し部材１４の吐出ノズル１３に接続されるガス吸入用マスク１５とを備えている。
【００１３】
ガスカートリッジ１２は、内容積が１０〜１００ｍｌ程度の携帯性に優れた小型のガス容器であり、内部に酸素ガス、窒素ガス、炭酸ガス、空気、これらの混合ガスなどの吸入用ガスが圧縮充填されている。また、使用前におけるガスカートリッジ１２の容器首部１２ａの開口は、封板１２ｂで密封されており、容器首部１２ａの外周には、雄ねじ部が設けられている。
【００１４】
ガス取出し部材１４は、容器首部１２ａの雄ねじ部に螺合する雌ねじ部を下部内周に設けたものであって、ガス取出し部材１４を容器首部１２ａにねじ込んだときに前記封板１２ｂを穿孔してガスカートリッジ１２の内部とガス取出し部材１４の内部流路１４ａとを連通させるためのニードル１４ｂと、減圧部１４ｃ及び流量調節部１４ｄと、減圧されて流量調節された吸入用ガスを噴出する前記吐出ノズル１３とを有している。
【００１５】
ガス吸入用マスク１５は、本発明のガス吸入用マスクの第１形態例を示すもので、全体が、柔軟性を有する材料、例えば、ポリ塩化ビニル、シリコン、ラテックスなどのガスをほとんど通さない材料で形成されている。このガス吸入用マスク１５におけるマスク基部側には、前記吐出ノズル１３に接続される筒状の基部側接続部１６が設けられている。この基部側接続部１６に前記吐出ノズル１３を嵌め込んで接続することにより、ガス吸入用マスク１５がガスカートリッジ１２に装着された状態になる。また、ガス吸入用マスク１５におけるマスク先端側には、先端縁が吸入者の口及び鼻の周囲を覆って顔面に当接する吸入形状部１７が設けられるとともに、前記吸入形状部１７と前記基部側接続部１６とは、吸入形状部１７に向かって漸次拡径する円錐形状の拡開部１８で連結されている。
【００１６】
さらに、ガス吸入用マスク１５における先端側開口部１５ａの周縁には、小径中空状の周縁部ガス導入部１９が設けられている。この周縁部ガス導入部１９は、前記吐出ノズル１３から吐出された吸入用ガスが導入されることにより膨張して前記吸入形状部１７の周縁部形状となり、吸入用ガスが導入されないときには収縮可能で折り畳み可能な状態になるように形成されており、携帯ガス供給器１１の使用前には、折り畳んだ状態、あるいは、ガスカートリッジ１２の外周に巻き付けた状態にできるように形成されている。
【００１７】
前記基部側接続部１６の先端側には、吐出ノズル１３から吐出されて前記拡開部１８内から前記吸入形状部１７に向かう前記吸入用ガスの流れに対して抵抗を与える抵抗部材２０が設けられている。この抵抗部材２０としては、適度なガス流れ抵抗が得られれば各種材料、物品を用いることが可能であり、例えば、焼結フィルタ、オリフィス、バルブなどを用いることができる。そして、前記基部側接続部１６における前記抵抗部材２０と前記吐出ノズル１３との間からは、吐出ノズル１３から吐出された吸入用ガスを前記周縁部ガス導入部１９に導入するガスガイド流路２１が分岐している。このガスガイド流路２１は、別のパイプ材などで形成することもできるが、前記拡開部１８と一体的に形成することにより、ガス吸入用マスク１５の製造コストの削減を図れる。
【００１８】
前記抵抗部材２０は、吐出ノズル１３から吐出されて吸入形状部１７に向かう吸入用ガスの流れに抵抗を与えることで、吐出ノズル１３から吐出された吸入用ガスを、前記ガスガイド流路２１から前記周縁部ガス導入部１９に優先的に導入するためのものであって、吸入者が前記吸入形状部１７からの吸入用ガスの吸入を開始する前に、周縁部ガス導入部１９を吸入用ガスで膨張させてマスク先端側を前記吸入形状部１７の形状にするようにしている。また、ガスガイド流路２１及び周縁部ガス導入部１９が吸入用ガスの導入で満たされて圧力が上昇した後に、抵抗部材２０を通して基部側接続部１６から先端側開口部１５ａに向かって所定量の吸入用ガスが流れるようになり、前記吸入形状部１７から吸入者の口や鼻に供給されることになる。
【００１９】
このように形成した携帯ガス供給器１１は、ガスカートリッジ１２にガス吸入用マスク１５を装着した状態で携行することができる。使用前の状態では、周縁部ガス導入部１９に吸入用ガスが導入されておらず、周縁部ガス導入部１９が収縮した状態になっているため、図１に想像線で示すように、ガス吸入用マスク１５がしぼんだ状態あるいは適当に折り畳まれた小さな状態になっており、ガスカートリッジ１２と共に小さなポーチやバッグなどに納めておくことができ、収縮したガス吸入用マスク１５が邪魔になることはない。
【００２０】
そして、何らかの疾患の発作の治療や呼吸困難が生じたときの応急処置としてガスの吸入が必要になったときには、ポーチやバッグなどから携帯ガス供給器１１を取り出してガス取出し部材１４をガスカートリッジ１２にねじ込んでいく。これにより、封板１２ｂがニードル１４ｂで穿孔され、ガスカートリッジ１２内の吸入用ガスが内部流路１４ａ、減圧部１４ｃ及び流量調節部１４ｄを通って吐出ノズル１３から吐出される。
【００２１】
吐出ノズル１３から吐出された吸入用ガスは、抵抗部材２０の作用で略全量がガスガイド流路２１を通って周縁部ガス導入部１９に流入し、周縁部ガス導入部１９を膨張させて先端側開口部１５ａの先端縁を所定の吸入形状部１７とする。周縁部ガス導入部１９が膨張した後は、吸入用ガスの略全量が抵抗部材２０を通過し、吸入者の口及び鼻の周囲を覆う所定形状となったガス吸入用マスク１５内に供給され、吸入者が所定濃度の酸素ガスを吸入する状態となる。
【００２２】
したがって、使用前及び使用後には、ガス吸入用マスク１５を装着したままの携帯ガス供給器１１をポーチやバッグなどにコンパクトに収納することができ、使用時には、ガス吸入用マスク１５が瞬時に吸入者の口及び鼻の周囲を覆う所定形状となるので、ガスカートリッジ１２内の吸入用ガスを効果的に吸入、投与することができ、吸入用ガスが無駄になることがなくなる。
【００２３】
図２は、本発明の携帯ガス供給器の第２形態例を示している。なお、以下の説明において、前記第１形態例に示した携帯ガス供給器の構成要素と同一の構成要素には同一の符号を付して詳細な説明は省略する。特に、ガスカートリッジ１２及びガス取出し部材１４は、第１形態例と同じ構成を採用することができるので、図示も省略する。
【００２４】
本形態例に示す携帯ガス供給器５１に用いられているガス吸入用マスク５２は、本発明のガス吸入用マスクの第２形態例を示すもので、前記第１形態例で示したガス吸入用マスク１５と同様に、全体が、柔軟性を有する材料で形成されており、マスク基部側に設けられた基部側接続部１６の先端部には、前記抵抗部材２０に代えて、前記吐出ノズル１３から前記吸入形状部１７に向かう前記吸入用ガスの流れを遮断する遮蔽部材５３を設けるとともに、前記周縁部ガス導入部１９の内周には、ガスガイド流路２１から周縁部ガス導入部１９内に導入された吸入用ガスを拡開部１８の内部に向かって吐出する吸入用ガス吐出孔５４を複数箇所に設けている。
【００２５】
したがって、本形態例に示すガス吸入用マスク５２は、ガス取出し部材をガスカートリッジにねじ込んで吐出ノズル１３からの吸入用ガスの供給を開始すると、吸入用ガスは、遮蔽部材５３の作用で全量がガスガイド流路２１から周縁部ガス導入部１９に導入され、吸入用ガス吐出孔５４からガス吸入用マスク１５内に噴出し、前記吸入形状部１７から吸入者の口や鼻に供給される状態になる。
【００２６】
吸入用ガス吐出孔５４の口径や設置数は、ガスガイド流路２１から流入する吸入用ガスで周縁部ガス導入部１９を十分に膨張させることができ、ガス吸入用マスク１５内に噴出する吸入用ガス量が吸入者が必要とするガス量になるように設定すればよく、ガスガイド流路２１の内径を調節したり、ガスガイド流路２１の数を調節したりすることにより、周縁部ガス導入部１９に、膨張に十分な量、圧力の吸入用ガスを導入しながら、マスク内に供給されて吸入者が吸入する吸入用ガス量を最適量に調節することができる。
【００２７】
また、第２形態例に示すガス吸入用マスク５２では、周縁部ガス導入部１９に吸入用ガス吐出孔５４を設けて吸入用ガスをガス吸入用マスク１５内に供給しているが、基部側接続部１６の遮蔽部材に吸入用ガス吐出孔を設けて吸入用ガスの一部をガス吸入用マスク１５内に供給してもよく、ガスガイド流路２１に吸入用ガス吐出孔を設けて吸入用ガスの一部をガス吸入用マスク１５内に供給してもよい。
【００２８】
さらに、前記吸入用ガス吐出孔に代えてガス透過性の部材、例えば不織布やフィルム、メッシュ材、多孔体などを適宜な形状として使用することも可能であり、ガス吸入用マスク１５の内側となる部分の全体をガス透過性とすることもでき、周縁部ガス導入部１９やガスガイド流路を含めてガス吸入用マスク１５の全体を中空状に形成することも可能である。
【００２９】
ガス吸入用マスクは、前記ガスカートリッジに限らず、各種吸入用ガス供給源に用いることができ、基部側接続部は、吸入用ガス供給源に設けられている吐出ノズルの形状に対応した構造で形成することができる。また、ガス吸入用マスクにおける周縁部ガス導入部は、リング状に全周にわたって設けることができるが、膨張時に吸入形状部の形状を維持できれば、リング状にする必要はなく、複数に分割してそれぞれにガスガイド流路を設けるようにしてもよい。さらに、ガスカートリッジに充填するガスの種類、濃度、組成、圧力は、使用目的に応じて任意に設定することができ、また、ガス取出し部材に、流量調節機構を設けることもでき、封板及びニードルに代えて開閉弁を設けることもでき、吐出ノズルに延長チューブを介してガス吸入用マスクを接続することも可能である。
【符号の説明】
【００３０】
１１…携帯ガス供給器、１２…ガスカートリッジ、１２ａ…容器首部、１２ｂ…封板、１３…吐出ノズル、１４…ガス取出し部材、１４ａ…内部流路、１４ｂ…ニードル、１４ｃ…減圧部、１４ｄ…流量調節部、１５…ガス吸入用マスク、１５ａ…先端側開口部、１６…基部側接続部、１７…吸入形状部、１８…拡開部、１９…周縁部ガス導入部、２０…抵抗部材、２１…ガスガイド流路、５１…携帯ガス供給器、５２…ガス吸入用マスク、５３…遮蔽部材、５４…吸入用ガス吐出孔
【図１】
2020103334.tif 000003
【図２】
2020103334.tif 000004